(57)【特許請求の範囲】
【請求項１】
消毒液を収容したタンクと、タンクの消毒液を所定位置に吐出する吐出手段と、消毒液を吐出手段に給送する給送手段と、消毒液の吐出位置に挿入された消毒対象物を検知する検知手段とを備え、検知手段の検知信号出力部から所定時間(ｔ1 )おきに検知信号を出力し、消毒対象物に反射した検知信号が検知手段の検知信号入力部に入力されると給送手段を作動するようにした手指消毒器において、
前記検知手段が最後に消毒対象物を検知してから所定の待ち時間(Ｔ1 )が経過するまでは前記検知信号の出力間隔(ｔ)を前記所定時間(ｔ1 )に設定し、検知手段が最後に消毒対象物を検知してから所定の待ち時間(Ｔ1 )が経過した後は検知信号の出力間隔(ｔ)を前記所定時間(ｔ1 )よりも長い時間(ｔ2 )に設定する制御手段を備えた
ことを特徴とする手指消毒器。
【請求項２】
前記検知手段が最後に消毒対象物を検知してから所定の待ち時間(Ｔ1 )が経過した後に消毒対象物を検知すると、前記検知信号の出力間隔(ｔ)を前記所定時間(ｔ1 )に戻す制御手段を備えた
ことを特徴とする請求項１記載の手指消毒器。
【請求項３】
前記検知手段の検知信号出力部から出力された検知信号が検知信号入力部に入力されると、再度検知信号を少なくとも一回だけ出力し、その検知信号が検知信号入力部に入力された場合に前記給送手段を作動させる制御手段を備えた
ことを特徴とする請求項１または２記載の手指消毒器。
【請求項４】
前記検知信号出力部から出力された検知信号が検知信号入力部に入力されてから再度検知信号を出力するまでの出力間隔(ｔ)を前記所定時間(ｔ1 )よりも短い時間(ｔ3 )に設定する制御手段を備えた
ことを特徴とする請求項３記載の手指消毒器。
【発明の詳細な説明】
【０００１】
【発明の属する技術分野】
本発明は病院等の衛生管理を重視する施設内に設置される手指消毒器に関するものである。
【０００２】
【従来の技術】
従来、この種の手指消毒器としては、アルコール等の消毒液を収容したタンクと、タンクの消毒液を噴射するノズルと、消毒液をノズルに給送するポンプとを備え、ノズルの下方に挿入された手指を光センサによって検知し、ノズルから消毒液を噴射するようにしたものが知られている。
【０００３】
【発明が解決しようとする課題】
前記従来の手指消毒器では、光センサの発光部から一定時間の間隔で検知信号が出力され、手指の挿入により検知信号が反射して受光部に入力されるとポンプが作動するようになっているが、夜間等の利用頻度の低いときでも光センサの発光部から同等の間隔で検知信号が出力されているため、電力消費が著しいという問題点があった。
【０００４】
本発明は前記問題点に鑑みてなされたものであり、その目的とするところは、検知手段による電力消費を低減することのできる手指消毒器を提供することにある。
【０００５】
【課題を解決するための手段】
本発明は前記目的を達成するために、請求項１では、消毒液を収容したタンクと、タンクの消毒液を所定位置に吐出する吐出手段と、消毒液を吐出手段に給送する給送手段と、消毒液の吐出位置に挿入された消毒対象物を検知する検知手段とを備え、検知手段の検知信号出力部から所定時間(ｔ1 )おきに検知信号を出力し、消毒対象物に反射した検知信号が検知手段の検知信号入力部に入力されると給送手段を作動するようにした手指消毒器において、前記検知手段が最後に消毒対象物を検知してから所定の待ち時間(Ｔ1 )が経過するまでは前記検知信号の出力間隔(ｔ)を前記所定時間(ｔ1 )に設定し、検知手段が最後に消毒対象物を検知してから所定の待ち時間(Ｔ1 )が経過した後は検知信号の出力間隔(ｔ)を前記所定時間(ｔ1 )よりも長い時間(ｔ2 )に設定する制御手段を備えている。これにより、長時間消毒対象物が検知されずに所定の待ち時間(Ｔ1 )が経過すると、検知信号の出力間隔(ｔ)が長くなり、検知信号の出力による電力消費が低減する。
【０００６】
また、請求項２では、請求項１記載の手指消毒器において、前記検知手段が最後に消毒対象物を検知してから所定の待ち時間(Ｔ1 )が経過した後に消毒対象物を検知すると、前記検知信号の出力間隔(ｔ)を前記所定時間(ｔ1 )に戻す制御手段を備えている。これにより、請求項１の作用に加え、長時間消毒対象物が検知されず、検知信号の出力間隔(ｔ)が長くなっていても、次に消毒対象物が検知されると、検知信号の出力間隔(ｔ)が速やかに前記所定時間(ｔ1 )に戻る。
【０００７】
また、請求項３では、請求項１または２記載の手指消毒器において、前記検知手段の検知信号出力部から出力された検知信号が検知信号入力部に入力されると、再度検知信号を少なくとも一回だけ出力し、その検知信号が検知信号入力部に入力された場合に前記給送手段を作動させる制御手段を備えている。これにより、請求項１または２の作用に加え、外光や電磁波ノイズ等により検知信号入力部に信号が一回のみしか入力されない場合は給送手段が作動することがない。
【０００８】
また、請求項４では、請求項３記載の手指消毒器において、前記検知信号出力部から出力された検知信号が検知信号入力部に入力されてから再度検知信号を出力するまでの出力間隔(ｔ)を前記所定時間(ｔ1 )よりも短い時間(ｔ3 )に設定する制御手段を備えている。これにより、請求項３の作用に加え、最初の信号入力を検知してから次の信号入力を検知するまでの時間が短くなる。
【０００９】
【発明の実施の形態】
図１乃至図５は本発明の一実施形態を示すもので、図１は手指消毒器の全体斜視図、図２はその側面断面図、図３は制御系を示すブロック図、図４は検知動作を示すタイムチャート、図５は制御部の動作を示すフローチャートである。
【００１０】
この手指消毒器は、消毒器本体１に、消毒液Ａを収容するタンク２と、消毒液Ａを吐出するノズル３と、タンク２の消毒液Ａをノズル３に給送するポンプ４と、ポンプ４を駆動するモータ５とを備え、消毒器本体１の上面にはタンク２に消毒液Ａを補給するための注入口１ａが設けられている。即ち、モータ５によってポンプ４が駆動されると、タンク２内の消毒液Ａがチューブ６を通じてノズル３から霧状に噴射されるようになっている。また、消毒器本体１には手指を検知するセンサ７が設けられ、消毒液Ａの噴霧位置に手指が挿入されると、これをセンサ７が検知してモータ５が作動するようになっている。センサ７は、発光部７ａ及び受光部７ｂを有する光センサからなり、図３に示すようにマイクロコンピュータからなる制御部８に接続されている。即ち、センサ７は発光部７ａから所定時間ごとに検知信号を出力し、手指が挿入されると、手指に反射した検知信号が受光部７ｂに入力されるようになっている。制御部８はタイマ９及びモータ５の駆動回路５ａに接続され、センサ７によって手指が検知されるとポンプ４のモータ５を駆動するようになっている。
【００１１】
以上のように構成された手指消毒器においては、センサ７によって手指の挿入が検知されると、ポンプ４が作動してノズル３から消毒液Ａが噴霧され、手指に消毒液Ａが散布される。
【００１２】
ここで、図４のタイムチャート及び図５のフローチャートを参照し、制御部の動作について説明する。尚、検知信号の出力間隔をｔ、タイマ９の計時時間をＴとする。
【００１３】
まず、検知信号の出力間隔ｔを所定時間ｔ1 に設定するとともに（Ｓ１）、タイマ９を作動し（Ｓ２）、発光部７ａから検知信号を出力する（Ｓ３）。ここで、手指が挿入されていない場合、検知信号が受光部７ｂに入力されず（Ｓ４）、タイマ９の計時時間Ｔが所定の待ち時間Ｔ1 を経過していなければ（Ｓ５）、前記出力間隔ｔが経過した後（Ｓ６）、ステップＳ３に戻って再び発光部７ａから検知信号を出力し、前述の動作を繰り返す。次に、長時間手指が挿入されず、ステップＳ５においてタイマ９の計時時間Ｔが所定の待ち時間Ｔ1 を経過したならば、検知信号の出力間隔ｔを前記所定時間ｔ1 よりも長い時間ｔ2 に設定し（Ｓ７）、前述の動作を繰り返す。また、手指の挿入により、ステップＳ４において受光部７ｂに検知信号が入力されると、前記所定時間ｔ1 よりも短い時間ｔ3 が経過した後（Ｓ８）、再度発光部７ａから検知信号を出力し（Ｓ９）、受光部７ｂに検知信号が入力されたならば（Ｓ１０）、ポンプ４のモータ５を作動する（Ｓ１１）。ここで、検知信号の出力間隔ｔが長い時間ｔ2 に設定されていた場合には（Ｓ１２）、出力間隔ｔを初期の時間ｔ1 に戻し（Ｓ１３）、タイマ９をリセットして（Ｓ１４）、ステップＳ３に戻る。また、ステップＳ１０において受光部７ｂに再度検知信号が入力されなかった場合には、ステップＳ１１には移行せずにステップＳ３に戻る。
【００１４】
このように、本実施形態の手指消毒器によれば、手指の挿入を最後に検知してから所定の待ち時間Ｔ1 が経過すると、検知信号の出力間隔ｔを長くするようにしたので、夜間等の利用頻度の低いときに検知信号の出力による電力消費を低減することができ、電力費の節減または電池の消耗低下を図ることができる。また、検知信号が受光部７ｂに二回続けて入力されたときのみポンプ４を作動するようにしたので、外光や電磁波ノイズ等により受光部７ｂに信号が一回のみしか入力されない場合はポンプ４が作動せず、誤動作を確実に防止することができる。この場合、一回目の信号入力を検知してから二回目の信号入力を検知するまでの時間を短くするようにしたので、手指の挿入を速やかに検知することができる。
【００１５】
【発明の効果】
以上説明したように、請求項１の手指消毒器によれば、検知信号の出力による電力消費を低減することができるので、電力費の節減または電池の消耗低下を図ることができる。
【００１６】
また、請求項２の手指消毒器によれば、請求項１の効果に加え、検知信号の出力間隔が長くなっていても、次に消毒対象物が検知されると検知信号の出力間隔が速やかに短い設定時間に戻るので、利用頻度の変化に的確に対応することができる。
【００１７】
また、請求項３の手指消毒器によれば、請求項１または２の効果に加え、外光や電磁波ノイズ等により検知信号入力部に信号が入力された場合には給送手段が作動することがないので、誤動作を確実に防止することができる。
【００１８】
また、請求項４の手指消毒器において、請求項３の効果に加え、最初の信号入力を検知してから次の信号入力を検知するまでの時間を短くすることができるので、手指の挿入を速やかに検知することができる。
【図面の簡単な説明】
【図１】本発明の一実施形態を示す手指消毒器の全体斜視図
【図２】手指消毒器の側面断面図
【図３】制御系を示すブロック図
【図４】検知動作を示すタイムチャート
【図５】制御部の動作を示すフローチャート
【符号の説明】
２…タンク、３…ノズル、４…ポンプ、５…モータ、７…センサ、７ａ…発光部、７ｂ受光部、８…制御部、９…タイマ。
【図１】
0003735419.tif 000002
【図２】
0003735419.tif 000003
【図３】
0003735419.tif 000004
【図４】
0003735419.tif 000005
【図５】
0003735419.tif 000006